(57)【要約】【課題】特定コンテンツに対する特殊再生を容易に実行し且つ特殊再生手順を複数の装置で共有する。【解決手段】サーバ１００に複数の情報再生装置が接続されているとき、ダウンロード制御部２０１はリストサーバ１１０とコンテンツサーバ１１１から再生手順リストとコンテンツのデータをインターネットに接続してダウンロードする。ＡＶ再生部２１０はダウンロードした再生手順リストに基づいて対応するコンテンツを再生または特殊再生して、さらに操作部３１やリモコンＲＣによる操作入力によって異なる手順の特殊再生をすると、その特殊再生の履歴が再生手順リストとして生成される。さらに生成されたリストはアップロード制御部２０２によってサーバ１００にアップロードされて、そしてアップロードされた手順リストが他の情報再生装置にダウンロードされて、そのリストに基づき対応するコンテンツの特殊再生を行う。【選択図】  図２
2010170592.tif 000002
【特許請求の範囲】
【請求項１】
コンテンツのデータを取得するデータ取得手段と、
前記コンテンツのデータの再生手順が記述される再生手順リストを取得するリスト取得手段と、
前記リスト取得手段で取得した再生手順リストに記述された再生手順に基づいて、前記データ取得手段で取得したコンテンツのデータを再生する再生手段と、
前記再生手段で再生しているときに前記再生手順と異なる手順の特殊再生を行った場合に、前記異なる手順の特殊再生による再生手順が記述された再生手順リストを生成するリスト生成手段と、
前記リスト生成手段で生成された再生手順リストをネットワークを介して送信する送信手段と、
を具備することを特徴とする情報再生装置。
【請求項２】
コンテンツのデータを取得するデータ取得手段と、
前記コンテンツのデータの再生手順が記述される再生手順リストを取得するリスト取得手段と、
前記リスト取得手段で取得した再生手順リストに記述された再生手順に基づいて、前記データ取得手段で取得したコンテンツのデータを再生する再生手段と、
を具備し、
前記再生手段は、前記再生手順リストに記述された特殊再生による再生手順に基づいて特殊再生を行うことを特徴とする情報再生装置。
【請求項３】
前記再生手段で再生しているときに前記再生手順と異なる手順の特殊再生を行った場合に、前記異なる手順の特殊再生による再生手順が記述された再生手順リストを生成するリスト生成手段と、
前記リスト生成手段で生成された再生手順リストをネットワークを介して送信する送信手段と、
を具備することを特徴とする請求項２記載の情報再生装置。
【請求項４】
前記送信手段は、異なる情報再生装置が具備する送信手段から送信された複数の再生手順リストを蓄積するサーバに送信し、
前記リスト取得手段は、ネットワークを介して前記サーバから任意の再生手順リストを受信することを特徴とする請求項３記載の情報再生装置。
【請求項５】
前記リスト取得手段は、前記サーバが蓄積する複数の再生手順リストを所定条件に基づいて一つに纏めた再生手順リストを受信することを特徴とする請求項４記載の情報再生装置。
【請求項６】
前記リスト取得手段は、前記サーバが蓄積する複数の再生手順リストのうち、所定条件に該当したものであって選択を許可して提示された複数の再生手順リストの中から任意に選択した再生手順リストを受信することを特徴とする請求項４記載の情報再生装置。
【請求項７】
前記データ取得手段は、ネットワークを介してコンテンツのデータを取得することを特徴とする請求項２記載の情報再生装置。
【請求項８】
前記データ取得手段は、放送波によりコンテンツのデータを取得することを特徴とする請求項２記載の情報再生装置。
【請求項９】
前記データ取得手段は、情報記憶媒体からコンテンツのデータを取得することを特徴とする請求項２記載の情報再生装置。
【請求項１０】
コンテンツのデータを取得し、
前記コンテンツのデータの再生手順が記述される再生手順リストを取得し、
前記取得した再生手順リストに記述された再生手順に基づいて、前記取得したコンテンツのデータを再生し、
さらには、前記再生手順リストに記述された特殊再生による再生手順に基づいて特殊再生を行うことを特徴とする情報再生方法。
【発明の詳細な説明】
【技術分野】
【０００１】
本発明は、再生手順が記述されたリストに基づいて当該リストに対応するコンテンツのデータを再生する情報再生装置および情報再生方法に関する。
【背景技術】
【０００２】
近年、取得したコンテンツのデータを記録媒体に保存し、保存したそれぞれのコンテンツのデータを複数の領域に区分けして、さらには、それらコンテンツやチャプターの再生順序が示されたプレイリストを生成し、そのプレイリストに基づいてコンテンツやチャプターを再生する情報再生装置が普及している。さらには、そのようなプレイリストをネットワークに接続したサーバに送信して、受信したサーバが、そのプレイリストを様々な用途に利用するシステムが多数普及している。
【０００３】
例えば引用文献１には、再生した時間やスキップ再生、早送りなどの特殊再生の操作履歴などのイベントログや、それらのイベントログの分析により特定された再生頻度が高いコンテンツを含んだプレイリストを、ネットワークを介してサーバにアップロードして、それらの情報を基にサーバが新たなプレイリストを生成してダウンロード可能に提示するシステムが開示されている。
【先行技術文献】
【特許文献】
【０００４】
【特許文献１】特開２００７−０４１７２２号公報 （図１  段落０１１２）
【発明の概要】
【発明が解決しようとする課題】
【０００５】
ところが従来は、プレイリストはあくまでもコンテンツまたはチャプター単位の再生順序を示すものであったので、特定コンテンツまたはチャプターに対するスキップ再生や倍速再生などの特殊再生の再生手順が示されたプレイリストを生成し且つそのプレイリストを複数の装置で共有することはできなかった。
【０００６】
そこで、本発明は上述した課題を解決するために、特定コンテンツに対する特殊再生を容易に実行し且つ特殊再生手順を複数の装置で共有することができる情報再生装置および情報再生方法を提供することを目的とする。
【課題を解決するための手段】
【０００７】
本発明は上述した課題を解決するため、コンテンツのデータを取得するデータ取得手段と、前記コンテンツのデータの再生手順が記述される再生手順リストを取得するリスト取得手段と、前記リスト取得手段で取得した再生手順リストに記述された再生手順に基づいて、前記データ取得手段で取得したコンテンツのデータを再生する再生手段と、前記再生手段で再生しているときに前記再生手順と異なる手順の特殊再生を行った場合に、前記異なる手順の特殊再生による再生手順が記述された再生手順リストを生成するリスト生成手段と、前記リスト生成手段で生成された再生手順リストをネットワークを介して送信する送信手段と、を具備することを特徴とするものである。
【０００８】
また本発明は上述した課題を解決するため、コンテンツのデータを取得するデータ取得手段と、前記コンテンツのデータの再生手順が記述される再生手順リストを取得するリスト取得手段と、前記リスト取得手段で取得した再生手順リストに記述された再生手順に基づいて、前記データ取得手段で取得したコンテンツのデータを再生する再生手段と、を具備し、前記再生手段は、前記再生手順リストに記述された特殊再生による再生手順に基づいて特殊再生を行うことを特徴とするものである。
【０００９】
また本発明は上述した課題を解決するため、コンテンツのデータを取得し、前記コンテンツのデータの再生手順が記述される再生手順リストを取得し、前記取得した再生手順リストに記述された再生手順に基づいて、前記取得したコンテンツのデータを再生し、さらには、前記再生手順リストに記述された特殊再生による再生手順に基づいて特殊再生を行うことを特徴とするものである。
【発明の効果】
【００１０】
本発明によれば、特定コンテンツに対する特殊再生を容易に実行し且つ特殊再生手順を複数の装置で共有することができる。
【図面の簡単な説明】
【００１１】
【図１】本発明の実施形態に係る情報再生装置であるＨＤＤレコーダとサーバとで再生操作リストを送受信するための構成を示すブロック図。
【図２】図１で説明した信号処理制御部２１によって実行されるコンテンツデータおよび再生手順リストのアップロード／ダウンロード処理を説明するための機能ブロック図。
【図３】図１で説明した構成の複数の情報再生装置がサーバに接続されたときの、コンテンツデータおよび再生手順リストのアップロード／ダウンロード処理のシーケンス図。
【図４】本実施形態によるコンテンツを再生するための再生手順リストとコンテンツのデータとの対応関係を示す概念図。
【図５】本実施形態の情報再生装置による再生手順リスト生成処理のフローチャート。
【図６】本実施形態の情報再生装置による再生手順リストに基づくコンテンツ再生処理のフローチャート。
【図７】本実施形態の情報再生装置による任意のコンテンツに対応する再生手順リストのダウンロード処理のフローチャート。
【発明を実施するための形態】
【００１２】
以下、本発明における実施形態について図面を用いて説明する。
まず図１は、本発明の実施形態に係る情報再生装置であるＨＤＤレコーダとサーバとで再生手順リストを送受信するための構成を示すブロック図である。なお本実施形態では情報再生装置をＨＤＤレコーダに適用した例を示すが、本実施形態と同様の構成を備えたテレビジョン受像機、ＤＶＤレコーダ、情報処理端末、携帯移動端末であってもよい。
【００１３】
ＨＤＤレコーダ１０は、放送波処理部２０、信号処理制御部２１、ＡＶ出力部２２、受信部３０、操作部３１、ネットワークＩＦ部４０、ＨＤＤ５０、記録媒体ＩＦ部５１、などで構成されている。
【００１４】
そして放送波処理部２０は、アンテナＡＴによって受信されたデジタル放送波やアナログ放送波に対して、特定チャンネルの選局や、復調・復号処理を施して、映像や音声の他にデータ放送や電子番組表（ＥＰＧ）などのためのデータが含まれる信号を、信号処理制御部２１に出力する。
【００１５】
またネットワークＩＦ部４０は、ＬＡＮなどのネットワークによりインターネットに接続し、接続したインターネットを経由して提供される放送番組などのコンテンツのデータやそのコンテンツの再生手順リストを受信して信号処理制御部２２へ出力する。本実施形態では、特定コンテンツに対するスキップ再生や倍速再生などの特殊再生の再生手順リストを提供するサーバにインターネットを経由して接続して、特定コンテンツに対する再生手順リストをアップロードまたはダウンロードする。
【００１６】
また信号処理制御部２１は、入力された信号に対してＭＰＥＧ符号化／復号化演算処理や、映像信号と音声信号の分離処理、信号からのデータ抽出処理、または圧縮された信号の解凍処理などを施して、映像音声信号を出力するとともに、ＣＰＵを備えていて各ブロックを制御する。本実施形態では、装置外部のサーバへのアップロード／ダウンロード処理やＨＤＤ５０とのデータ送受信処理、映像音声信号の再生処理、さらには、映像音声信号に対する再生手順リスト生成処理などを制御する。
【００１７】
さらにＡＶ出力部２２は、信号処理制御部２１から入力された映像音声信号に対して、必要な処理を施して装置外部へ出力する。
そして操作部３１は、装置を操作する入力操作の情報を受信する。同様に、受信部３０は、リモコンＲＣによる入力操作の情報を受信する。本実施形態では、再生手順リストのアップロード／ダウンロード処理や映像音声信号の再生処理や特殊再生処理などの操作入力の情報を受信する。
【００１８】
またＨＤＤ５０は、装置外部から取得したコンテンツのデータやそのコンテンツの再生手順リストを保存し、保存したコンテンツの再生やコピーのためにコンテンツのデータや再生手順リストを出力する。本実施形態では、ネットワークＩＦ部４０を通してダウンロードした再生手順リストを保存し、保存したリストに対応するコンテンツを再生するために再生手順リストを出力する。
【００１９】
さらに記録媒体ＩＦ部５１は、記録媒体ＲＭとのデータのやりとりを行う。すなわち、記録媒体ＲＭが光ディスクであれば光ディスクドライブであり、記録媒体ＲＭがメモリカードであればメモリリーダライタである。
【００２０】
次にサーバ１００は、データ管理部１０１、リストサーバ１１０、コンテンツサーバ１１１、などで構成されている。
まずデータ管理部１０１は、外部ネットワークによりインターネットに接続して、インターネットに接続されたＨＤＤレコーダ１０に対して再生手順リストとコンテンツのデータを関連付けて出力する。また、インターネットに接続されたＨＤＤレコーダ１０によりアップロードされた再生手順リストをリストサーバ１１０に出力し、ＨＤＤレコーダ１０にダウンロードする再生手順リストをリストサーバ１１０から読み出して出力する。
【００２１】
リストサーバ１１０は、再生手順リストを蓄積するサーバであり、データ管理部１０１の制御によって再生手順リストの入出力を行う。またコンテンツサーバ１１１は、コンテンツのデータを蓄積するサーバであり、データ管理部１０１の制御によってコンテンツのデータの入出力を行う。
【００２２】
次に図１で説明したＨＤＤレコーダ１０に備えられた信号処理制御部２１によって実行される、コンテンツデータおよび再生手順リストのサーバ１００とのアップロード／ダウンロード処理を、図２を用いて説明する。
【００２３】
図２は、図１で説明した信号処理制御部２１によって実行されるコンテンツデータおよび再生手順リストのアップロード／ダウンロード処理を説明するための機能ブロック図である。
【００２４】
信号処理制御部２１は、ダウンロード制御部２０１、アップロード制御部２０２、ＡＶ再生部２１０、リスト生成部２１１、などで構成されている。
ダウンロード制御部２０１は、インターネットに接続されたコンテンツサーバ１１１からコンテンツデータをダウンロードし、同様にインターネットに接続されたリストサーバ１１０から再生手順リストをダウンロードする。そしてダウンロードしたデータやリストをＨＤＤ５０に保存する。
【００２５】
またアップロード制御部２０２は、ＨＤＤ５０に保存された再生手順リストをインターネットに接続されたリストサーバ１１０へアップロードする。
またＡＶ再生部２１０は、再生対象コンテンツの再生手順リストをＨＤＤ５０から読み出し、読み出したリストに記述された再生手順に基づいてＨＤＤ５０に保存されたコンテンツデータを再生してＡＶ出力部２２へ出力する。また操作部３１やリモコンＲＣによりスキップ再生や倍速再生などの特殊再生の操作入力がされたときは、その操作入力に応じた特殊再生処理を行う。
【００２６】
さらにリスト生成部２１１は、ＡＶ再生部２１０によって実行された再生処理や特殊再生処理の手順を記憶して、記憶した手順が記述された再生手順リストを生成してＨＤＤ５０に保存する。なお、複数のコンテンツまたはチャプターが順次再生された場合には、その再生順序が記述されたプレイリストを生成する。また複数のコンテンツまたはチャプターが順次特殊再生された場合には、その再生順序と特殊再生手順が記述されたリストを生成し、すなわち再生手順リストを含んだプレイリストを生成することになる。
【００２７】
次に、図１で説明した構成の複数の情報再生装置がサーバ１００に接続されたときの、コンテンツデータおよび再生手順リストのアップロード／ダウンロード処理のシーケンスを、図３を用いて説明する。
【００２８】
図３は、図１で説明した構成の複数の情報再生装置がサーバ１００に接続されたときの、コンテンツデータおよび再生手順リストのアップロード／ダウンロード処理のシーケンス図である。
【００２９】
まず情報再生装置Ａ１０ａがダウンロード処理を開始すると（Ｓ３０１）ダウンロード実行情報がデータ管理部１０１に提供されて（Ｓ３３１）、データ管理部１０１は提供されたダウンロード実行情報に基づき、リストサーバ１１０およびコンテンツサーバ１１１に対して該当する再生手順リストおよびコンテンツのデータを要求する。そしてそれぞれのサーバは要求されたリストおよびデータをデータ管理部１０１に提供して（Ｓ３４１）、データ管理部１０１は提供されたリストおよびデータを情報再生装置Ａ１０ａに対してダウンロードする（Ｓ３３２）。
【００３０】
また同様に、情報再生装置Ｂ１０ｂがダウンロード処理を開始すると（Ｓ３１１）ダウンロード実行情報がデータ管理部１０１に提供されて（Ｓ３３３）、データ管理部１０１とリストサーバ１１０およびコンテンツサーバ１１１による制御によって（Ｓ３４２）再生手順リストおよびコンテンツのデータを情報再生装置Ｂ１０ｂに対してダウンロードする（Ｓ３３４）。
【００３１】
なおサーバに接続される情報再生装置は２つに限定されるものではなく、さらに多くの情報再生装置がサーバに接続されて以上説明したダウンロード処理を行う実施形態であってもよい。
【００３２】
また情報再生装置Ａ１０ａは、ダウンロードした再生手順リストに基づいて対応するコンテンツを再生しているときに、当該再生手順リストに記述されている再生手順とは異なる手順で、操作部３１やリモコンＲＣによって当該コンテンツのスキップ再生や倍速再生などの特殊再生を行い（Ｓ３０２）、行われた再生手順が記述された新たな再生手順リストを生成する（Ｓ３０３）。なおダウンロードした再生手順リストにスキップ再生や倍速再生などの特殊再生手順が記述されていて、その手順に基づいてコンテンツを再生した場合には新たな再生手順リストは生成されない。
【００３３】
さらに情報再生装置Ａ１０ａが新たに生成した再生手順リストのアップロード処理を開始すると（Ｓ３０４）アップロード実行情報がデータ管理部１０１に提供されて（Ｓ３３５）、データ管理部１０１は提供されたアップロード実行情報をリストサーバ１１０およびコンテンツサーバ１１１に対して提供する。そしてそれぞれのサーバは提供された情報を基にアップロードされるリストとコンテンツとの関連付け処理などを行い（Ｓ３４３）、情報再生装置Ａ１０ａは生成した再生手順リストを、データ管理部１０１を経由してリストサーバ１１０にアップロードする（Ｓ３３６）。
【００３４】
そして情報再生装置Ｂ１０ｂが保存したコンテンツに対応する再生手順リストのダウンロード処理を開始すると（Ｓ３１２）ダウンロード実行情報がデータ管理部１０１に提供されて（Ｓ３３７）、データ管理部１０１は提供されたダウンロード実行情報に基づき、リストサーバ１１０に対して該当する再生手順リストを要求する。そしてリストサーバ１１０は要求されたリストをデータ管理部１０１に提供して（Ｓ３４４）、データ管理部１０１は提供された再生手順リストの中から情報再生装置Ｂ１０ｂが要求するリストを情報再生装置Ｂ１０ｂに対してダウンロードする（Ｓ３３８）。
【００３５】
さらに情報再生装置Ｂ１０ｂは新たにダウンロードした再生手順リストに基づいて対応するコンテンツを再生する（Ｓ３１３）。例えばダウンロードした再生手順リストが、情報再生装置Ａ１０ａが行った再生手順が記述されたリストであれば、情報再生装置Ｂ１０ｂは情報再生装置Ａ１０ａが行った再生手順に基づいてコンテンツを再生または特殊再生する。
【００３６】
なお情報再生装置Ｂ１０ｂによるコンテンツのデータのダウンロードは、情報再生装置Ａ１０ａによる再生手順リストのアップロード以前に行われる実施形態でなくアップロード以降に行われる実施形態でもよい。
【００３７】
すなわち本実施形態の複数の情報再生装置がサーバに接続されたとき、特定の情報再生装置で生成された特定コンテンツの再生手順リストがインターネットに接続されたサーバに対してアップロードされて、アップロードされた再生手順リストは、異なる情報再生装置によってダウンロードが可能となる。
【００３８】
また再生手順リストのアップロードまたはダウンロードは特定の情報再生装置に限定されるものではなく、接続された全ての情報再生装置がアップロードおよびダウンロードが可能な実施形態である。
【００３９】
また再生手順リストのアップロードまたはダウンロードは一度に複数のリストに対して行われる実施形態であってもよい。
次に、再生手順リストに記述された再生手順に基づいたコンテンツの再生処理の一実施形態を、図４を用いて説明する。
図４は、本実施形態によるコンテンツを再生するための再生手順リストとコンテンツのデータとの対応関係を示す概念図である。なお図４におけるコンテンツのデータはＭＰＥＧで符号化された形態である。
【００４０】
ＭＥＰＧで符号化されたコンテンツの映像音声データは階層構造になっていて、シーケンスレイヤと呼ばれる上位階層の下位にＧＯＰ（Group  Of  Picture；グループ・オブ・ピクチャ；以下ＧＯＰと称する）レイヤと呼ばれる階層がある。また一つのＧＯＰはＭＰＥＧで複合化された画像においては約１５フレームに相当する映像音声データを含んでいる。
【００４１】
またＭＰＥＧで符号化されたデータ構造を持つと共に光ディスクへの映像記録フォーマットであるＤＶＤ−ＶＲフォーマットでは、映像音声データファイルとは別に管理情報ファイルが定義されている。管理情報ファイルは、コンテンツの映像音声データを再生するための管理情報が保存されている。なお管理情報とは、コンテンツの再生時間と映像音声データの位置情報との関係が記述された情報であるタイムマップや、１ＧＯＰ当たりのデータサイズや再生時間など、映像音声データを再生するために必要な情報である。
【００４２】
つまり本実施形態における再生手順リストは、タイムマップのリザーブｂｉｔを利用することで実現できるが、再生手順リストの記述はタイムマップを利用する形態に限ったものではない。
【００４３】
まず図４（ａ）では、コンテンツをスキップ再生や倍速再生などの特殊再生をせずにシーケンシャル再生する場合の再生手順リストとコンテンツのデータとの対応関係を示している。またそれぞれのリストには対応するＧＯＰの位置情報や次にアクセスするリスト番号などが記述されている。そしてリストに記述された位置情報を基に対応するＧＯＰのデータに対してＭＰＥＧ復号処理などを施し、さらに記述された次にアクセスするリストの記述を読み出す。すなわち以上の処理を継続して行うことは再生手順リストに基づいてコンテンツのデータをシーケンシャル再生することを意味している。
【００４４】
つまり具体的には、図４（ａ）においてはリスト１には対応ＧＯＰとしてＧＯＰ１が記述され、また同時に次はリスト２へアクセスすることが記述されている。同様にリスト２にはＧＯＰ２の処理とリスト３へのアクセスが記述され、リストｎにはＧＯＰｎの処理とリストｎ＋１へのアクセスが記述されている。従ってそれぞれのリストに記述されている対応ＧＯＰを順次再生することでコンテンツを１倍再生すなわちシーケンシャル再生することができる。
【００４５】
一方図４（ｂ）では、コンテンツをスキップ再生や倍速再生などの特殊再生をする場合の再生手順リストとコンテンツのデータとの対応関係を示している。再生手順は、まずリスト１によりＧＯＰ１の処理がされてリスト２にアクセスして処理し、次にリスト２によりＧＯＰ２が処理されてリスト３へアクセスして処理する。このときリスト３には対応ＧＯＰがＧＯＰｎ−２、再生速度が１倍、次のリストがリストｎ−１と記述されている。従ってＧＯＰ４からＧＯＰｎ−３は処理されずスキップされＧＯＰｎ−２から１倍再生処理がされて、リストｎ−１にアクセスする。さらにリストｎ−１、リストｎ、リストｎ＋１と順次アクセスして処理するが、リストｎ＋１には対応ＧＯＰがＧＯＰｎ＋１、再生速度が２倍、次のリストがリストｎ＋２と記述されている。従ってＧＯＰｎ＋１は２倍速の再生処置がされて次にリストｎ＋２にアクセスする。
【００４６】
すなわち図４（ａ）（ｂ）のように対象となるコンテンツのデータが同じである場合でも、ＤＶＤ−ＶＲフォーマットにおけるタイムマップなどを利用した再生手順リストに、対応ＧＯＰ、再生速度、次のリスト番号などを記述し、その記述に基づいて音声映像データを順次処理することで、シーケンシャル再生だけでなくスキップ再生や倍速再生といった特殊再生などの再生を行うことができる。
【００４７】
なお再生手順リストによるコンテンツのデータのアクセス単位としてＭＰＥＧで符号化された信号におけるＧＯＰを利用した実施形態として説明をしたが、所定間隔で区切られた時間情報や位置情報などを使用する実施形態であってもよい。
【００４８】
次に、本実施形態の情報再生装置による特殊再生処理がおこなわれたときの、手順が記述された再生手順リストを生成する処理を、図５を用いて説明する。
図５は、本実施形態の情報再生装置による再生手順リスト生成処理のフローチャートである。
まず情報再生装置がコンテンツの再生処理を開始すると（Ｓ５０１）、例えばスキップ再生や倍速再生などの特殊再生の操作入力を待つ処理（Ｓ５０２）が行われ、その操作入力がなく（Ｓ５０２のＮ）再生が完了していない（Ｓ５０５のＮ）場合は、特殊再生の操作入力を待つ処理（Ｓ５０２）に移行する。しかし特殊再生の操作入力があった（Ｓ５０２のＹ）場合は、操作入力のあった特殊再生処理を行い（Ｓ５０３）、行われた特殊再生処理の内容をコンテンツのデータの位置情報と関連付けながら記憶する（Ｓ５０４）。そして再生が完了してない（Ｓ５０５のＮ）場合は、さらに特殊再生の操作入力を待つ処理（Ｓ５０２）に移行する。
【００４９】
なお特殊再生処理が実行されるたびに記憶される内容は蓄積され、すなわちコンテンツのデータの位置情報と関連付けられた特殊再生処理の内容は時系列に記憶されることになる。
【００５０】
そして時系列に記憶された特殊再生の手順が記述された再生手順リストが生成され（Ｓ５０６）て、生成された再生手順リストはＨＤＤ５０に保存される（Ｓ５０７）。
【００５１】
次に、ダウンロードした複数の再生手順リストから選択した任意のリストに基づいてコンテンツを再生する処理を、図６を用いて説明する。
図６は、本実施形態の情報再生装置による再生手順リストに基づくコンテンツ再生処理のフローチャートである。
まず任意のコンテンツが選択されて再生する操作入力がされる（Ｓ６０１）と、ダウンロードした複数の再生手順リストの中から再生対象コンテンツに対応する複数の再生手順リストを提示する（Ｓ６０２）。なお再生手順リストの提示は、再生手順の概要や再生手順による再生時間などが選択可能に提示されるメニュー画面などによって行われる。そして提示されたリストの中から一つのリストが選択され（Ｓ６０３）て、選択されたリストに基づいて対象コンテンツを再生する（Ｓ６０４）。
【００５２】
また再生対象コンテンツに対してダウンロードした再生手順リストが一つだけしかない場合には、再生手順リストを選択可能に提示せずにただ一つの再生手順に基づいてコンテンツ再生を開始する実施形態であってもよい。
【００５３】
次に、任意のコンテンツに対応する再生手順リストのダウンロード処理を、図７を用いて説明する。
図７は、本実施形態の情報再生装置による任意のコンテンツに対応する再生手順リストのダウンロード処理のフローチャートである。
まずＨＤＤ５０に保存されているコンテンツの中から、ダウンロード対象の再生手順リストに対応したコンテンツが選択される（Ｓ７０１）。なおコンテンツの選択は、複数のコンテンツのサムネイルやタイトルなどが選択可能に提示されるメニュー画面などによって行われる。そしてダウンロード制御部２０１は選択されたコンテンツに関連する情報、例えばコンテンツに対して一意に付されたＩＤやメタデータなどのコンテンツ関連情報などを含むダウンロード実行情報を、サーバ１００に備えられたデータ管理部１０１に提供する（Ｓ７０２）。さらにデータ管理部１０１は提供されたコンテンツ関連情報をもとにして対応する複数の再生手順リストをリストサーバ１１０に要求して、リストサーバ１１０から提供された複数のリストを提示する（Ｓ７０３）。そして提示された複数のリストの中から対象のリストが選択されて（Ｓ７０４）、情報再生装置によってダウンロードされる（Ｓ７０５）。なお複数のリストの中からの対象リストの選択は、再生手順の概要や再生手順による再生時間などが選択可能に提示されるメニュー画面などによって行われる。
【００５４】
また以上説明したダウンロード処理の初めに行われるダウンロード対象の再生手順リストに対応したコンテンツの選択処理は、データ管理部１０１がコンテンツサーバ１１１に蓄積されたコンテンツのデータを元に選択可能に複数のコンテンツのサムネイルなどを提示する実施形態でもよい。その場合は、情報再生装置からコンテンツを選択する情報が提供されて、データ管理部１０１は提供された情報を元にコンテンツを選択する処理を行うのでコンテンツ関連情報は情報再生装置から提供されない。
【００５５】
ところで、リストサーバ１１０には特定コンテンツに対応する複数の再生手順リストが蓄積されるので、再生手順リストのダウンロード処理において、対応する再生手順リストを全て提示してその中からユーザがリストを選択することは非常に困難である。つまりダウンロード候補としての再生手順リストは限定された数量であることが望ましい。
【００５６】
例えばデータ管理部１０１が、再生手順リストによるコンテンツのデータのアクセス単位であるＧＯＰごとに、蓄積された再生手順リストに記述された処理内容の傾向を分析して、傾向的な処理内容が多く含まれる再生手順リストの上位を提示する形態や、分析された処理内容の傾向に基づいて新たな再生手順リストを生成する形態、またさらには再生手順リストに対する評価を複数の情報再生装置から収集して順位が上位の再生手順リストを提示する形態などでもよい。
【００５７】
なお本実施形態は、インターネットに接続されたサーバからコンテンツを取得する実施形態として説明を行ったが、変形例として以下の複数の実施形態も可能である。なおいずれの変形例も再生手順リストはインターネットに接続されたサーバにアップロード／ダウンロードされるものである。
【００５８】
（変形例１）コンテンツをインターネットからストリーミングにより取得する実施形態。この実施形態ではコンテンツのデータおよび再生手順リストはＨＤＤ５０には蓄積されずに図示しないメモリに一時的に保存されて順次ＡＶ再生部２１０に提供されて再生される。このときコンテンツのデータと再生手順リストは同時に取得されるが、ダウンロードしてＨＤＤ５０に保存した再生手順リストに基づいて再生する形態でもよい。
【００５９】
（変形例２）コンテンツを外部のアンテナＡＴで受信して放送波処理部２０にて処理して取得する実施形態。この実施形態ではコンテンツのデータはＨＤＤ５０に保存され、コンテンツに一意的に付されたＩＤや放送波によって得られるメタデータによって関連付けられた再生手順リストに基づいて再生される。
【００６０】
（変形例３）コンテンツをＤＶＤやＣＤ、メモリカードなどの記録媒体ＲＭを記録媒体ＩＦ部５１によって読み出して取得する実施形態。この実施形態ではコンテンツのデータは記録媒体ＩＦ部５１からＡＶ再生部２１０に提供されて再生される形態や、図示しないメモリに一時的に保存されて順次ＡＶ再生部２１０に提供されて再生される形態となる。またコンテンツに一意的に付されたＩＤによって関連付けられた再生手順リストに基づいて再生される。
【００６１】
以上説明したように本実施形態によれば、サーバに複数の情報再生装置が接続されているときに、その中の任意の情報再生装置でコンテンツを特殊再生したときの再生手順リストがサーバに対してアップロードされて、アップロードされた再生手順リストは任意の情報再生装置によってダウンロードされてそのリストに基づいてコンテンツが特殊再生できるので、特定コンテンツに対する様々な操作履歴を示す再生手順を複数の情報再生装置で共有でき、また更にはそのコンテンツに対して有効な再生手順を煩雑な操作に因らず容易に行うことが可能となる。
【００６２】
また本発明は、上述した実施形態に限定されるものではなく、本発明の要旨を変えない範囲において、種々の変更、改変等が可能である。
【符号の説明】
【００６３】
１０…ＨＤＤレコーダ、２０…放送波処理部、２１…信号処理制御部、２２…ＡＶ出力部、３０…受信部、３１…操作部、４０…ネットワークＩＦ部、５０…ＨＤＤ、５１…記録媒体ＩＦ部、１００…サーバ、１０１…データ管理部、１１０…リストサーバ、１１１…コンテンツサーバ、２０１…ダウンロード制御部、２０２…アップロード制御部、２１０…ＡＶ再生部、２１１…リスト生成部。
【図１】
2010170592.tif 000003
【図２】
2010170592.tif 000004
【図３】
2010170592.tif 000005
【図４】
2010170592.tif 000006
【図５】
2010170592.tif 000007
【図６】
2010170592.tif 000008
【図７】
2010170592.tif 000009